(57)【要約】【課題】  引戸を閉める際に移動速度を減速させることができ、また、引戸を開ける際は、摩擦抵抗力を減少させることができることはいうまでもなく、制動部材を挟圧する摺動部材の間隔を調整する機構が複雑でなく、調整が確実で引っ張りばねに負担が掛からない引戸の制動装置を提供する。【解決手段】  装着部材の先端に固着された引戸の木口に沿って配置される固定部に設けられている調節ねじにより固定部の操作面に配置した第１の板状部材を前後方向に調節可能として第１の板状部材と制動部材との当接摺動の際の摩擦抵抗力を調整可能とする。【選択図】図1
2010248696.tif 000002
【特許請求の範囲】
【請求項１】
引戸または鴨居に装着され、対向する鴨居または引戸方向に突出させて配置されその前後に摩擦部を形成する制動部材と前記制動部材の摩擦部に接触する一対の摩擦面に当接する開閉可能な一対の摺動面を有する摺動部材を有する当接部材とからなる引戸の制動装置であって、前記当接部材が、引戸または鴨居に装着する平板状の基板を有する装着部材と断面Ｌ字状に形成されているとともに垂直部分の内側に摺動部材を配置した前記装着部材に少なくとも引戸の開閉方向に移動不可に配置された第１の板状部材および前記第１の板状部材を水平部分を重ね合わせ対向配置される第２の板状部材とからなり、前記装着部材には基板に前後方向に延びる長孔が形成され、前記第１の板状部材には水平部分に前記装着部材の基板に形成した長孔と連通する引戸の移動方向に対して斜め方向に延びる斜め長孔が形成されるとともに、前記第２の板状部材は前記装着部材に固定されているとともに水平部分には前記装着部材の基板に形成した長孔および前記第１の板状部材における板状部材の水平部分に形成した斜め長孔に連通するねじ孔が形成されており、前記第２の板状部材に形成した通孔に螺挿した支軸を前記第１の板状部に形成した斜め長孔および装着部材の基板に形成した長孔に遊嵌させて前記装着部材、第１の板状部材、第２の板状部材が前記支軸により一体的に連結されており、前記当接部材を形成する前記第１の板状部材が制動部材との当接摺動の際の摩擦抵抗力によって、引戸の一方向への移動時には、前記第２の板状部材との間隔を狭めて制動部材を制動し、引戸の逆方向への移動時には、前記第２の板状部材との間隔を広めて制動を解除することを特徴とする引戸の制動装置。
【請求項２】
前記装着部材の先端に固着された引戸の木口に沿って配置される固定部に設けられている調節ねじにより前記固定部の操作面に配置した前記第１の板状部材を前後方向に調節可能として前記第１の板状部材と制動部材との当接摺動の際の摩擦抵抗力を調整可能としたことを特徴とする請求項１記載の引戸の制動装置。
【請求項３】
前記装着部材の先端に固着された引戸の木口に沿って配置される固定部に設けられた調節ねじにより前記第１の板状部材と第２の板状部材とを一体的に前後方向に移動可能として前記鴨居または引戸に対する前後方向位置を調整可能としたことを特徴とする請求項１または２記載の引戸の制動装置。
【発明の詳細な説明】
【技術分野】
【０００１】
本発明は、引戸が閉止する際に引戸の閉じ方向への勢いを減少させて衝撃音の発生や跳ね返りを防止するために設置される制動装置に関するものである。
【背景技術】
【０００２】
従来、引戸について、開閉操作を容易且つ円滑なものとする必要性から建て付けの  正確さや摩擦抵抗の減少が図られ、開閉操作に関しては移動性が確保されてきている。反面、開閉方向の移動性についての改良が図られた結果、開閉時に引戸が予想以上の勢いで閉方向に移動することから、引戸が戸当たりや戸枠（柱）などに勢いよく衝突して衝突音や跳ね返りが発生し、更には指などを挟むなどの問題があった。
【０００３】
そこで、従来から、引戸と鴨居のいずれか一方に一対の摩擦部材を前後方向に対向して配置し、これらの摩擦部材の間を通過するスライダを摩擦部材に圧接させて制動する形式の引戸の制動装置が、例えば特開平７−２６９２２１号公報（特許文献１）、特開平８−２１１４７号公報（特許文献２）などに提示されている。
【０００４】
ところが、前記従来の引戸の制動装置は、特許文献１に記載されている形式のものは板ばねを用いたものであって、一旦、閉じた引戸を開くときに負荷が掛かり円滑な開放操作ができな井という問題があり、また、特許文献２に記載されているものは、摩擦部材とスライダとを特殊な形状にする必要があるばかりか開放方向ヘの接触抵抗は小さく操作も市易いが、閉じる方向への接触抵抗が大きく引戸を何時でも勢いよく閉じる必要がありきわめて取扱が悪いという問題がある。更に、前記従来の制動装置はスライダを挟む一対の摩擦部材間における間隔の調節ができないことから、所望の制動間隔を得ることができないとともに、使用時における摩擦によって接触面が摩耗して制動機能が低下するという心配もある。
【０００５】
そこで、特開平９−３１７３１８号公報（特許文献３)に、引戸の移動に伴って摺動部材間の間隔を狭くして押圧力を増大させることができ、逆に、引戸の移動方向が反対になると摺動部材間の間隔を広くすることができ、摩擦抵抗力をほとんど無くすことができ、引戸の閉鎖方向に対して摺動部材の間隔が狭くなるよう装着することによって、引戸を閉める際に移動速度を減速させることができ、また、引戸を開ける際は、摩擦抵抗力を減少させることができて制動装置を装着する前と同様に引戸を軽く開けることができる引戸の制動装置が提示されている。
【０００６】
この特許文献３に記載されている引戸の制動装置は、図７に示すように、引戸の移動方向に沿った長手部材にて形成され、摩擦面２ａ,２ｂとなるほぼ平行な２面を具備する制動部材２と、この制動部材の摩擦面２ａ,２ｂを挟んで当接摺動でき、引戸の移動中に制動部材２との当接摺動により摩擦抵抗力を発生させる摺動部材３１ａ,３１ｂを具備する当接部材３とによって構成され、当接部材３は、断面Ｌ字状に形成された２つの板状部材３ａ,３ｂからなり、板状部材３ａ,３ｂの垂直部分に設けた摺動部材３１ａ,３１ｂを対向配置させるとともに、水平部分３２ａ,３２ｂを重ね合わせて配置し、水平部分３２ａ,３２ｂには引戸の移動方向に対して斜め方向に形成した貫通孔３３ａ,３３ｂを、水平部分を重ねた状態で互いにクロスするように形成して、両貫通孔３３ａ,３３ｂに遊嵌させた取付ネジ３５を設けており、当接部材２は、制動部材３との当接摺動の際の摩擦抵抗力によって、引戸の一方向への移動時には、摺動部材３１ａ,３１ｂ間の間隔が狭くなるようにずれ、引戸の逆方向への移動時には、摺動部材間３１ａ,３１ｂの間隔が広くなるようにずれるよう構成したものである。
【０００７】
ところが、前記特許文献３に記載された制動装置１は、当接部材３が、断面Ｌ字状に形成された板状部材３ａ,３ｂの垂直部分３４ａ，３４ｂに設けた摺動部材３１ａ,３１ｂを対向配置させるとともに、水平部分３３ａ,３３ｂを重ね合わせて配置した２つの板状部材３ａ,３ｂからなるものであることから、摺動部材３１ａ,３１ｂの間隔の調整するには、固定部材ｆの長手方向に調整ネジｍを回転自在に通して取付け、その中間部分に２個の取付用ナットｎを螺合させてあり、この取付用ナットｎに対して水平部分３３ａ,３３ｂに遊嵌した取付ネジ３５をねじ込んで当接部材３を装着し、調整ネジｍを回転させると、取付用ナットｎがその軸線方向に移動することとなり、取付用ナットｎに支持された当接部材３の全体を調整ネジｍの軸線方向に移動することにより、固定部材ｆに取付けている引っ張りバネｃのバネ力を変えることができるので、取付板３ａ，３ｂの位置をずらせることができ、摺動部材３１ａ，３１ｂ同士の間隔を変更するものである。
【０００８】
従って、固定部材ｆの下方に調整ネジｍと取付用ナットｎを組み込む等、複雑な構成にしなければならず、固定部材ｆの厚みも増すという問題点があり、特に、摺動部材３１ａ，３１ｂの間隔の調整は引っ張りバネｃのバネ力を変えることにより行うものであることから、当接部材３を引っ張りバネｃにより摺動部材３１ａ，３１ｂの間隔を所望の調整間隔に保持するものであり、引っ張りバネｃが常時摺動部材３１ａ,３１ｂを所定位置に保持させておくことになり、劣化の原因になるとともに安定した状態に配置することができないという問題もある。
【先行技術文献】
【特許文献】
【０００９】
【特許文献１】特開平７−２６９２２１号公報
【特許文献２】特開平８−２１１４７号公報
【特許文献３】特開平９−３１７３１８号公報
【発明の概要】
【発明が解決しようとする課題】
【００１０】
本発明は前記従来の引戸の制動装置が有する問題点を解決して、引戸を閉める際に移動速度を減速させることができ、また、引戸を開ける際は、摩擦抵抗力を減少させることができることはいうまでもなく、制動部材を挟圧する摺動部材の間隔を調整する機構が複雑でなく、調整が確実で引っ張りばねに負担が掛からない引戸の制動装置を提供するものである。
【課題を解決するための手段】
【００１１】
前記課題を解決するためになされた本発明は、引戸または鴨居に装着され、対向する鴨居または引戸方向に突出させて配置されその前後に摩擦部を形成する制動部材と前記制動部材の摩擦部に接触する一対の摩擦面に当接する開閉可能な一対の摺動面を有する摺動部材を有する当接部材とからなる引戸の制動装置であって、前記当接部材が、引戸または鴨居に装着する平板状の基板を有する装着部材と断面Ｌ字状に形成されているとともに垂直部分の内側に摺動部材を配置した前記装着部材に少なくとも引戸の開閉方向に移動不可に配置された第１の板状部材および前記第１の板状部材を水平部分を重ね合わせ対向配置される第２の板状部材とからなり、前記装着部材には基板に前後方向に延びる長孔が形成され、前記第１の板状部材には水平部分に前記装着部材の基板に形成した長孔と連通する引戸の移動方向に対して斜め方向に延びる斜め長孔が形成されるとともに、前記第２の板状部材は前記装着部材に固定されているとともに水平部分には前記装着部材の基板に形成した長孔および前記第１の板状部材における板状部材の水平部分に形成した斜め長孔に連通するねじ孔が形成されており、前記第２の板状部材に形成した通孔に螺挿した支軸を前記第１の板状部に形成した斜め長孔および装着部材の基板に形成した長孔に遊嵌させて前記装着部材、第１の板状部材、第２の板状部材が前記支軸により一体的に連結されており、前記当接部材を形成する前記第１の板状部材が制動部材との当接摺動の際の摩擦抵抗力によって、引戸の一方向への移動時には、前記第２の板状部材との間隔を狭めて制動部材を制動し、引戸の逆方向への移動時には、前記第２の板状部材との間隔を広めて制動を解除する。
【００１２】
本発明によれば、当接部材を構成する第２の板状部材が、引戸または鴨居に装着する装着部材に固定されているのできわめて安定した状態で装着することがてきる。また、当接部材を構成する第１の板状部材と第２の板状部材との間隔も第２の板状部材はそのままで、第１の板状部材を装着部材に対して引戸の移動方向へ移動させるだけでよく構造も複雑でなく調整も確実で且つ容易である。
【００１３】
特に、装着部材の先端に固着された引戸の木口に沿って配置される固定部に設けられている調節ねじにより前記固定部の操作面に配置した前記第１の板状部材を前後方向に調節可能として前記第１の板状部材と制動部材との当接摺動の際の摩擦抵抗力を調整可能として制動部材の幅や取り付け位置に簡単な操作で対応することができる。
【００１４】
また、装着部材の先端に固着された引戸の木口に沿って配置される固定部に設けられた調節ねじにより前記第１の板状部材と第２の板状部材とを一体的に前後方向に移動可能として前記鴨居または引戸に対する前後方向位置を調整可能としたことにより制動部材との前後方向位置や引戸枠と引戸との前後方向位置を簡単に調節することができる。
【発明の効果】
【００１５】
以上のように本発明である引戸の制動装置は、従来の同種のものに比べて引戸や鴨居への装着が確実であるとともに、当接部材を構成する板状部材間の調整も簡単且つ確実である。
【図面の簡単な説明】
【００１６】
【図１】本発明の好ましい実施の形態における当接部材を示す分解斜視図である。
【図２】図１に示した実施の形態における当接部材の平面図。
【図３】図１に示した実施の形態における当接部材の横断面図。
【図４】図１に示した実施の形態に用いられる制動部材の正面。
【図５】図１に示した実施の形態における当接部材の使用状態を示す正面図。
【図６】図１に示した実施の形態における当接部材の異なる使用状態を示す正面図。
【図７】従来例を示す説明図。
【発明を実施するための形態】
【００１７】
次に、本発明を実施するための形態について図面を参照して説明する。
【００１８】
図１乃至図３は本発明の好ましい実施の形態を示すものであり、本実施の形態である引戸の制動装置１は、制動部材２を鴨居５側に、当接部材３を引戸６側に直接配置したものであるが本発明はこれに限らず鴨居５側に当接部材３を設置し引戸６側に制動部材２を配置した場合や吊車形式の引戸などについても同様にして実施することができるものである。
【００１９】
本実施の形態では、鴨居５に取り付けられる制動部材２は、平板状の取付基板２１の底面に棒状で前後に摩擦部２２，２２を形成する制動部材本体２３が突設されており、取付基板２１に形成したねじ孔２４，２５に取付ねじ２６により固定されるものであり、特に一方のねじ孔２５は円弧状であって制動部材本体２３の前後方向位置を調整可能に取り付けられる構成である。
【００２０】
一方、前記制動部材２が当接する当接部材３は、主として、複数の前後方向に延びる長孔３８２が引戸の移動方向へ所定の間隔で並設された平板状で端縁を下方に折り曲げて断面が下向きコ字形の基板３８１とその前後に連設された固定部３６,３７とからなり、その前後に配置されて引戸６の頂面６１および木口６２に形成された取付孔６３に嵌装した当接部材３を固定するための固定部３６,３７を有している装着部材３８と、断面Ｌ字状に形成されているとともに垂直部分３２ａに被冠されて少なくとも内側に摺動部材３１ａを配置して前記装着部材３８における基板３８１に重ねて配置されるとともに水平部分３３ａに前記装着部材３８における基板３８１に形成された各長孔３８２に連通する引戸６の移動方向に対して斜め方向に延びる斜め長孔３４ａを連設した第１の板部材３ａと、断面Ｌ字状に形成されており、垂直部分３２ｂに被冠して少なくとも内側に摺動部材３１ｂを配置するとともに、第１の板部材３ａの水平部分３３ａと重ねられる水平部分３３ｂに前記装着部材３８の基板３８１に形成した各長孔３８２および前記第１の板部材３ａの水平部分３３ａに形成した斜め長孔３４ａにそれぞれ連通する円形の通孔３４ｃを連設した第２の板部材３ｂとから構成される。
【００２１】
尚、前記摺動部材３１ａ，３１ｂは例えば硬質合成樹脂に摩擦材を混入させたものやそれ自体に摩擦力を有するゴム材など従来周知のものを用いることが可能であるが、特に摩擦力と耐久性とを考慮して適宜選択すればよい。
【００２２】
そして、前記装着部材３８、第１の板部材３ａ, 第２の板部材３ｂが重ね合わされてそれぞれに形成された長孔３８２, 斜め長孔３４ａ、ねじ孔３４ｃに貫挿されて先端をかしめた支持軸３５により一体化され、且つ、少なくとも前記第１の板部材３ａは装着部材３８と第２の板部材３ｂとに対して前記斜め長孔３４ａの範囲において水平方向へ移動可能に配置されている。また、前記第1の板部材３ａは、前記ガイド３６４との間に介装させた圧縮ばね３９により基端方向へと付勢されている。
【００２３】
従って、前記当接部材３を形成する第１の板状部材３ａの摺動部材３１ａが制動部材２の制動部材本体２２との当接摺動の際の摩擦抵抗力によって、引戸６の一方向への移動時には、第２の板状部材３ｂにおける摺動部材３１ｂとの間隔を狭めて制動部材２を制動し、引戸の逆方向への移動時には、第２の板状部材３ｂとの間隔を広めて制動を解除するので引戸６を閉める際に移動速度を減速させることができ、また、引戸６を開ける際は、摩擦抵抗力を減少させることができて抵抗なく開けることができる。
【００２４】
本実施の形態についてさらに詳しく説明すると、本実施の形態では、前記装着部材３８の先端側に形成される引戸６への固定部材３６は、引戸６に取り付けたときに引戸６の木口６２に沿って配置され、頂部を開放した空間部３６１の対向する側壁３６２，３６２間に架設した軸３６３には頂部に引戸６の移動方向と頂部とにわたって開放して前記鴨居５に取り付けた制動部材２の制動部材本体２３をガイドするガイド部３６４を形成したガイド３６５が遊嵌されており、固定部材３６における操作面３６６に配置される調整ねじ３６７を回転させることにより偏心カム３６７ａを介して前記ガイド３６５が前記軸３６３に沿って移動させられることで前後方向位置を調整可能としている。
【００２５】
さらに、前記第２の板部材３ｂを形成する水平部分３３ｂの基端部には前記装着部材３８の固定部３７に形成された係止溝３７１に嵌挿して前後方向への移動をガイドするためのガイド垂片３３１が折曲して形成されており、水平部分３３ａの先端部は前記装着部材３８の前方に配置された固定部３６に配置されたガイド３６５に固着されており、図５に示すように前記ガイド３６５の調整に伴って引戸６の前後方向位置が前記装着部材３８に形成された長孔３８２の長さ範囲において移動可能とされている。
【００２６】
さらにまた、前記第1の板部材３ａは前方に当接の固定部３６内に配置した引戸６の木口６２に沿って配置される操作面３６６に配置される調整ねじ３６８を螺挿する調整部材３３２が延設されており、前記操作面３６６に配置される調整ねじ３６８を回転操作させることにより前記調整部材３３２を介して第１の板部材３ａを引戸６の移動方向へ移動可能とされており、第１の板部材３ａを引戸６の移動方向へ移動させることにより第１の板部材３ａに形成した斜め長孔３４ａに貫通させてある前記第２の板部材３ｂのねじ孔３４ｃに螺挿させている支持軸３５により引戸６の前後方向へ移動することになり、図６に示すように第１の板部材３ａとの間隔、即ち、摺動部材３１ａと３１ｂとの間隔を調整することができる。
【００２７】
このような構成を有する本実施の形態である制動装置は、前述の如く、当接部材３を引戸６に形成した取付孔３６に嵌装して止めねじ６４，６５により装着部材３８に形成されている固定部３６，３７に固着し、制動部材２を鴨居５の所定位置に取付基板２１に形成したねじ孔２４，２５に取付ねじ２６により所定の位置に固定して使用するものである。
【００２８】
即ち、前述の如く、引戸６を閉じたとき引戸６に装着されたガイド３６を通して当接部材３が鴨居５に装着された制動部材２の第２の板部材３ｂに接することになり、さらに閉じ方向へ引戸６が移動すると制動部材２の制動部材本体２３が摺動部材３１ａの摩擦力により一体となった状態で圧縮ばね３９の付勢力に抗して第１の板部材３ａが引戸６の移動方向へと移動させられ、同時に斜め長孔３４ａの作用により対向する第２の板部材３ｂの摺動部材３１ｂとの間隔が狭まって、制動部材本体２３が前記第当接部材３を形成する第１の板部材３ａの摺動部材３１ａと第２の板状部材３ｂの摺動部材３１ｂに挟まれて両摺動部材３１ａ，３２ｂとの摩擦抵抗力によって引戸６の閉じ方向への移動を制動して跳ね返りを防止して、さらに、必要であれば閉じた状態に保持させることができる。
【００２９】
特に、本実施の形態では、前述の如く引戸６の木口６２に露出している固定部３６における操作面３６６に配置されている調整ねじ３６７，３６８を用いて第１の板状部材３ａおよび第２の板状部材３ｂ全体または第１の板状部材３ａと第２の板状部材３ｂとの間隔を調整して前記制動力を好適な状態に調整することができるので、確実に且つ所定の位置で所定の制動力で引戸６を制動させることができる。
【００３０】
また、本実施の形態では、引戸６を開ける際は、制動部材本体２３が両摺動部材３１ａ，３２ｂと摩擦状態にある閉じた状態から開ける方向へ移動することにより摺動部材３１ａが付設されている第1の板部材３ａが斜め長孔３４ａの作用により摺動部材３２ｂと離反して摩擦抵抗力を減少させることができて圧縮ばね３９の付勢力も加味されて制動力が解除されて抵抗なく開けることができる。
【符号の説明】
【００３１】
１  制動部材、２  制動部材、３  当接部材、５  鴨居、６  引戸、３ａ  第１の板部材、３ｂ  第２の板部材、３１ａ，３１ｂ  摺動部材、３２ａ，３２ｂ 垂直部分、３３ａ，３３ｂ  水平部分、３４ａ  斜め長孔、３５  支持軸、３６  ガイド、３８  装着部材、３８２  長孔、３８１  基板
【図１】
2010248696.tif 000003
【図２】
2010248696.tif 000004
【図３】
2010248696.tif 000005
【図４】
2010248696.tif 000006
【図５】
2010248696.tif 000007
【図６】
2010248696.tif 000008
【図７】
2010248696.tif 000009